(57)【要約】  本発明は、コネクションの確立が不要な制御メッセージの転送の場合には、コネクションの確立を実施することなく制御メッセージの転送を行うようにした移動通信システムを提供するものであり、本発明による移動通信システムは、移動局と、無線基地局と、この無線基地局の上位装置とを含む移動通信システムにおいて、当該移動局は、移動局の上位装置に対する制御メッセージの送信に際して、移動局個別のコネクションの確立要否を示す情報を上位装置へ送信し、上位装置は、この情報を受信して当該情報を用いて移動局個別のコネクションの確立が不要であることを判断する。
2009054294.tif 000002
【特許請求の範囲】
【請求項１】
移動局と、無線基地局と、前記無線基地局の上位装置とを含む移動通信システムであって、
前記移動局は、前記移動局の前記上位装置に対する制御メッセージの送信に際して、前記移動局個別のコネクションの確立要否を示す情報を前記上位装置へ送信し、
前記上位装置は、前記情報を受信し、前記情報を用いて前記コネクションの確立が不要であると判断することを特徴とするシステム。
【請求項２】
前記上位装置は、前記情報に応じて前記コネクションの確立制御をなすことを特徴とする請求項１に記載のシステム。
【請求項３】
前記移動局は、前記移動局の前記上位装置に対する制御メッセージと前記情報とを、前記移動局の前記無線基地局に対する制御メッセージに含めて送信することを特徴とする請求項１または２に記載のシステム。
【請求項４】
前記無線基地局は、前記移動局の前記上位装置に対する制御メッセージと前記情報とを、前記無線基地局の前記上位装置に対する制御メッセージに含めて送信することを特徴とする請求項１〜３いずれかに記載のシステム。
【請求項５】
前記移動局は、前記情報に代えて、前記コネクションの確立要否に応じて、前記移動局の前記上位装置に対する制御メッセージの形式を変えることを特徴とする請求項１〜４いずれかに記載のシステム。
【請求項６】
前記無線基地局は、前記情報に代えて、前記コネクションの確立要否に応じて、前記無線基地局の前記上位装置に対する制御メッセージの形式を変えることを特徴とする請求項１〜５いずれかに記載のシステム。
【請求項７】
前記上位装置は、前記情報が前記コネクションの確立不要を示すとき、前記無線基地局に対して、前記コネクションの確立要求をなすことなく前記上位装置の前記移動局への制御メッセージの転送要求をなすことを特徴とする請求項１〜６いずれかに記載のシステム。
【請求項８】
前記上位装置は、前記コネクションの確立要否に応じて、前記上位装置の前記無線基地局に対する制御メッセージの形式を変えることを特徴とする請求項７記載のシステム。
【請求項９】
前記移動局と前記上位装置との間の制御メッセージはセキュリティ処理されていることを特徴とする請求項１〜８いずれかに記載のシステム。
【請求項１０】
前記移動局の前記上位装置に対する制御メッセージは、ＮＡＳ（Non-Access  Stratum）メッセージであることを特徴とする請求項１〜９いずれかに記載のシステム。
【請求項１１】
前記移動局の前記無線基地局に対する制御メッセージは、ＲＲＣ（Radio  Resource  Control）メッセージであることを特徴とする請求項３に記載のシステム。
【請求項１２】
前記無線基地局の前記上位装置に対する制御メッセージは、ＲＡＮＡＰ（Radio  Access  Network  Application  Part  ）メッセージであることを特徴とする請求項４に記載のシステム。
【請求項１３】
移動局と、無線基地局と、前記無線基地局の上位装置とを含む移動通信システムにおける通信方法であって、
前記移動局の前記上位装置に対する制御メッセージの送信に際して、上位装置によって前記移動局個別のコネクションの確立が不要であるとの判断に用いられる、前記コネクションの確立要否を示す情報を前記上位装置へ送信するステップを含むことを特徴とする方法。
【請求項１４】
前記上位装置において、前記情報に応じて、前記コネクションの確立制御をなすステップを含むことを特徴とする請求項１３に記載の方法。
【請求項１５】
前記移動局において、前記移動局の前記上位装置に対する制御メッセージと前記情報とを、前記移動局の前記無線基地局に対する制御メッセージに含めて送信するステップを含むことを特徴とする請求項１３または１４に記載の方法。
【請求項１６】
前記無線基地局において、前記移動局の前記上位装置に対する制御メッセージと前記情報とを、前記無線基地局の前記上位装置に対する制御メッセージに含めて送信するステップを含むことを特徴とする請求項１３〜１５いずれかに記載の方法。
【請求項１７】
前記移動局において、前記情報に代えて、前記コネクションの確立要否に応じて、前記移動局の前記上位装置に対する制御メッセージの形式を変えることを特徴とする請求項１３〜１６いずれかに記載の方法。
【請求項１８】
前記無線基地局において、前記情報に代えて、前記コネクションの確立要否に応じて、前記無線基地局の前記上位装置に対する制御メッセージの形式を変えることを特徴とする請求項１３〜１７いずれかに記載の方法。
【請求項１９】
前記上位装置において、前記情報が前記コネクションの確立不要を示すとき、前記無線基地局に対して、前記コネクションの確立要求を行うことなく前記上位装置の前記移動局への制御メッセージの転送要求をなすステップを含むことを特徴とする請求項１３〜１８いずれかに記載の方法。
【請求項２０】
前記上位装置において、前記コネクションの確立要否に応じて、前記上位装置の前記無線基地局に対する制御メッセージの形式を変えることを特徴とする請求項１９に記載の方法。
【請求項２１】
前記移動局と前記上位装置との間の制御メッセージはセキュリティ処理されていることを特徴とする請求項１３〜２０いずれかに記載の方法。
【請求項２２】
前記移動局の前記上位装置に対する制御メッセージは、ＮＡＳ（Non-Access  Stratum）メッセージであることを特徴とする請求項１３〜２１いずれかに記載の方法。
【請求項２３】
前記移動局の前記無線基地局に対する制御メッセージは、ＲＲＣ（Radio  Resource  Control）メッセージであることを特徴とする請求項１５に記載の方法。
【請求項２４】
前記無線基地局の前記上位装置に対する制御メッセージは、ＲＡＮＡＰ（Radio  Access  Network  Application  Part  ）メッセージであることを特徴とする請求項１６に記載の方法。
【請求項２５】
移動局と、無線基地局と、前記無線基地局の上位装置とを含む移動通信システムにおける移動局であって、
前記移動局の前記上位装置に対する制御メッセージの送信に際して、前記上位装置によって前記移動局個別のコネクションの確立が不要であるとの判断に用いられる、前記コネクションの確立要否を示す情報を前記上位装置へ送信する伝送部を備えることを特徴とする移動局。
【請求項２６】
前記上位装置に対する制御メッセージと前記情報とを、前記無線基地局に対する制御メッセージに含めて送信することを特徴とする請求項２５に記載の移動局。
【請求項２７】
前記情報に代えて、前記コネクションの確立要否に応じて、前記上位装置に対する制御メッセージの形式を変えることを特徴とする請求項２５または２６に記載の移動局。
【請求項２８】
前記上位装置に対する制御メッセージはセキュリティ処理されていることを特徴とする請求項２５〜２７いずれかに記載の移動局。
【請求項２９】
移動局と、無線基地局と、前記無線基地局の上位装置とを含む移動通信システムにおける無線基地局であって、
前記移動局が前記移動局の前記上位装置に対する制御メッセージの送信に際して送信し、前記上位装置によって前記移動局個別のコネクションの確立が不要であるとの判断に用いられる、前記コネクションの確立要否を示す情報を受信する第一の伝送部と、  前記移動局の前記上位装置に対する制御メッセージと前記情報とを、前記上位装置に対する制御メッセージに含めて送信する第二の伝送部とを備えることを特徴とする無線基地局。
【請求項３０】
前記情報に代えて、前記コネクションの確立要否に応じて、前記無線基地局の前記上位装置に対する制御メッセージの形式を変えることを特徴とする請求項２９に記載の無線基地局。
【請求項３１】
前記移動局の前記上位装置に対する制御メッセージはセキュリティ処理されていることを特徴とする請求項２９または３０に記載の無線基地局。
【請求項３２】
移動局と、無線基地局と、前記無線基地局の上位装置とを含む通信システムにおける上位装置であって、
前記移動局が前記移動局の前記上位装置に対する制御メッセージの送信に際して送信する、前記移動局個別のコネクションの確立要否を示す情報を受信する伝送部と、
前記情報を用いて前記コネクションの確立が不要であると判断する制御部とを備えることを特徴とする上位装置。
【請求項３３】
前記情報に応じて前記コネクションの確立制御をなすことを特徴とする請求項３２に記載の上位装置。
【請求項３４】
前記情報が前記コネクションの確立不要を示すとき、前記無線基地局に対して、前記コネクションの確立要求を行うことなく、前記上位装置の前記移動局への制御メッセージの転送要求をなすことを特徴とする請求項３３記載の上位装置。
【請求項３５】
前記コネクションの確立要否に応じて、前記上位装置の前記無線基地局に対する制御メッセージの形式を変えることを特徴とする請求項３４に記載の上位装置。
【請求項３６】
前記移動局との間の制御メッセージはセキュリティ処理されていることを特徴とする請求項３２〜３５いずれかに記載の上位装置。
【請求項３７】
移動局と、無線基地局と、前記無線基地局の上位装置とを含む移動通信システムにおける移動局の動作をコンピュータに実行させるためのプログラムであって、
前記移動局の前記上位装置に対する制御メッセージの送信に際して、前記上位装置によって前記移動局個別のコネクションの確立が不要であるとの判断に用いられる、前記コネクションの確立要否を示す情報を前記上位装置へ送信する処理を備えることを特徴とするプログラム。
【請求項３８】
移動局と、無線基地局と、前記無線基地局の上位装置とを含む移動通信システムにおける無線基地局の動作をコンピュータに実行させるためのプログラムであって、
前記移動局が前記移動局の前記上位装置に対する制御メッセージの送信に際して送信し、前記上位装置によって前記移動局個別のコネクションの確立が不要であるとの判断に用いられる、前記コネクションの確立要否を示す情報を受信する処理と、
前記移動局の前記上位装置に対する制御メッセージと前記情報とを、前記上位装置に対する制御メッセージに含めて送信する処理とを備えることを特徴とするプログラム。
【請求項３９】
移動局と、無線基地局と、前記無線基地局の上位装置とを含む移動通信システムにおける上位装置の動作をコンピュータに実行させるためのプログラムであって、
前記移動局が前記移動局の前記上位装置に対する制御メッセージの送信に際して送信する、前記移動局個別のコネクションの確立要否を示す情報を受信する処理と、
前記情報を用いて前記コネクションの確立が不要であると判断する処理とを備えることを特徴とするプログラム。
【発明の詳細な説明】
【技術分野】
【０００１】
本発明は移動通信システム、通信方法、それに用いる移動局、無線基地局及びその上位装置に関するものである。
【背景技術】
【０００２】
移動通信システムにおけるＵＴＲＡＮの概略構成を、図１に示す。図１において、ＵＴＲＡＮ１は、ＲＮＳ（Radio  Network  Subsystem  ）１１，１２を含んで構成されており、ＲＮＳ１１は、ＲＮＣ（Radio  Network  Controller：無線制御装置）１１１、ＮｏｄｅＢ（無線基地局）１１２，１１３により構成されている。他のＲＮＳ１２もＲＮＳ１１と同等構成である。【０００３】
そして、ＲＮＣ１１１はＩｕと呼ばれるインターフェースでコアネットワーク（Core  Network）２と接続されており、またＩｕｂと呼ばれるインターフェースでＮｏｄｅＢ１１２，１１３と接続されている。更に、Ｉｕｒと呼ばれるインターフェースで他のＲＮＳ１２を構成するＲＮＣとも接続されている。【０００４】
ＵＴＲＡＮ１が図示せぬ移動局（以下、ＵＥ（User  Equipment）と称す）を制御するために、このＵＴＲＡＮとＵＥ間には、制御メッセージとしてＲＲＣ（Radio  Resource  Control）メッセージが、３ＧＰＰ（3rd  Generation  Partnership  Project）により規定されている。また、コアネットワーク２がＵＥを制御するために、このコアネットワークとＵＥ間には、制御メッセージとしてＮＡＳ（Non-Access  Stratum）メッセージが、同様に、３ＧＰＰにより規定されている。なお、ＮＡＳは、ＵＴＲＡＮで終端されることのないＵＥとコアネットワークとの間におけるプロトコルであると定義されている。【０００５】
これら制御メッセージであるＲＲＣメッセージとＮＡＳメッセージとは互いに独立に扱われ、ＵＥがコアネットワークにＮＡＳメッセージを転送するときには、先ず、ＲＲＣメッセージにより、ＵＴＲＡＮとＵＥ間に、ＵＥ個別のコネクションが確立され、このコネクションの確立後に、ＵＥからコアネットワークにＮＡＳメッセージが転送されるようになっている。【０００６】
現在、３ＧＰＰの標準化において、ＵＴＲＡＮが無線ＬＡＮなどの他の無線通信技術の発展に対して競争力を保つことを目的として、ＵＴＲＡＮの発展に関する検討（ＵＴＲＡＮ  ＬＴＥ（Long  Term  Evolution  ）：ＬＴＥ方式と称す）が行われている（例えば、非特許文献１〜３参照）。このＬＴＥ方式では、図２に示すように、図１に示したＲＮＣ１１１とＮｏｄｅＢ１１２や１１３とが一体化されたｅＮＢ（Evolved  NodeB  ）３１〜３４と称されるノードでＵＴＲＡＮ３が構成されている。【０００７】
図１に示したＵＴＲＡＮ１は、ＬＴＥ方式ではＥ−ＵＴＲＡＮ（Evolved  UTRAN  ）３と定義され、またＬＴＥ方式でのコアネットワーク２の制御機能部は、ＭＭＥ（Mobility  Management  Entity）４と定義されている。【０００８】
また、ｅＮＢ３１〜３４の各々とＭＭＥ４との間の各インターフェースはＳ１と定義され、ｅＮＢ相互間のインターフェースはＸ２と定義されている。ＬＴＥ方式におけるＲＮＣとＮｏｄｅＢとを一体化して構成することにより、図１のＵＴＲＡＮ１と比較して、Ｅ−ＵＴＲＡＮ３を構成するノードの数が削減される。このノード数の削減により、ＵＥが通信を行うためのＵＥ／ｅＮＢ／ＭＭＥ間のコネクションの設定遅延が削減される。これは、図１でのＵＴＲＡＮ１でのＲＮＣ／ＮｏｄｅＢ間のコネクションの設定が、図２のＥ−ＵＴＲＡＮ３では不要になるからである。【０００９】
更に、ＬＴＥ方式では、上述したＮＡＳメッセージを、Ｅ−ＵＴＲＡＮとＵＥ間にコネクションを確立するためのＲＲＣメッセージに相乗りさせることにより、コネクションの確立とＮＡＳメッセージの転送を同時に実施し、コネクションの設定遅延を削減することも考えられている。【００１０】
【非特許文献１】“Evolved  Universal  Terrestrial  Radio  Access  (E-UTRA)  and  Evolved  Universal  Terrestrial  Radio  Access  Network  (E-UTRAN);  Overall  description  ”  [3GPP  TS36.300v8.1.0  (2007-06)]
【非特許文献２】“Feasibility  study  for  evolved  Universal  Terrestrial  Radio  Access  (UTRA)  and  Universal  Terrestrial  Radio  Access  Network  (UTRAN)”  [3GPP  TR25.912  v7.1.0  (2006-09)]
【非特許文献３】“3GPP  System  Architecture  Evolution  on  Technical  Options  and  Conclusions  ”  [3GPP  TR23.882  v1.8.0  (2007-02)]
【発明の開示】
【発明が解決しようとする課題】
【００１１】
上述したＬＴＥ方式では、ＵＥの状態として、“ＬＴＥ＿ＤＥＴＡＣＨＥＤ”，“ＬＴＥ＿ＡＣＴＩＶＥ”及び“ＬＴＥ＿ＩＤＬＥ”の３つの状態が定義されている。“ＬＴＥ＿ＤＥＴＡＣＨＥＤ”は、ＵＥの電源がオフとなっている状態である。“ＬＴＥ＿ＡＣＴＩＶＥ”は、ＵＥ個別のコネクションが確立されている状態である。“ＬＴＥ＿ＩＤＬＥ”は、ＵＥの電源はオンとなっているが、ＵＥ個別のコネクションは確立されていない状態である。【００１２】
例えば、“ＬＴＥ＿ＩＤＬＥ”状態から“ＬＴＥ＿ＤＥＴＡＣＨＥＤ”（電源をオフ）状態に遷移するときに、図１に示した既存のＵＴＲＡＮでの手順と同様の手順を、図２のＬＴＥ方式に用いる場合には、先ず、ＵＥとＥ−ＵＴＲＡＮ間の制御メッセージであるＲＲＣメッセージを用いてＵＥ個別のコネクションを確立する。ＵＥは、このコネクションの確立後に、ＵＥとＭＭＥ間の制御メッセージであるＮＡＳメッセージをＭＭＥに送信し、電源をオフにすることをＭＭＥに通知することになる。【００１３】
“ＬＴＥ＿ＤＥＴＡＣＨＥＤ”状態では、ＵＥの電源がオフとなるので、ＮＡＳメッセージの転送のために確立されたコネクションは使用されず、コネクションを切断する処理が必要となる。このように、既存のＵＴＲＡＮでの手順と同様の手順を、ＬＴＥ方式に用いる場合には、最終的に切断されることが明らかなコネクションを確立するケースが存在することになる。【００１４】
更に、図１に示した既存のＵＴＲＡＮでは、一般的に、ＲＮＣは局舎内などのセキュリティが確保される場所に配置されているために、ＵＥとＵＴＲＡＮ間や、ＵＴＲＡＮを介してＵＥとコアネットワーク間で制御メッセージを交換するときには、ＵＴＲＡＮとＵＥ間でのみ制御メッセージに対してセキュリティ処理（ciphering  （秘匿）、integrity  protection（改ざんの検出））が実施されている。よって、ＮＡＳメッセージに対してセキュリティ処理を実施する場合には、ＲＲＣメッセージを用いて、ＵＥとＵＴＲＡＮ間にコネクションを確立する必要がある。【００１５】
以上のように、上述した移動通信システムでは、移動局と上位局との間の制御メッセージの転送に際して、不要なコネクションの確立処理が発生するという問題があった。【００１６】
本発明は上記の点に鑑みなされたものであって、コネクションの確立が不要な制御メッセージの転送の場合には、コネクションの確立を実施することなく制御メッセージの転送を行うようにした移動通信システム、通信方法、それに用いる移動局、無線基地局及びその上位装置を提供するものである。【００１７】
本発明による移動通信システムは、移動局と、無線基地局と、前記無線基地局の上位装置とを含む移動通信システムであって、前記移動局は、前記移動局の前記上位装置に対する制御メッセージの送信に際して、前記移動局個別のコネクションの確立要否を示す情報を前記上位装置へ送信し、前記上位装置は、前記情報を受信し、前記情報を用いて前記コネクションの確立が不要であると判断することを特徴とする。【００１８】
本発明による通信方法は、移動局と、無線基地局と、前記無線基地局の上位装置とを含む移動通信システムにおける通信方法であって、前記移動局の前記上位装置に対する制御メッセージの送信に際して、上位装置によって前記移動局個別のコネクションの確立が不要であるとの判断に用いられる、前記コネクションの確立要否を示す情報を前記上位装置へ送信するステップを含むことを特徴とする。【００１９】
本発明による移動局は、移動局と、無線基地局と、前記無線基地局の上位装置とを含む移動通信システムにおける移動局であって、前記移動局の前記上位装置に対する制御メッセージの送信に際して、前記上位装置によって前記移動局個別のコネクションの確立が不要であるとの判断に用いられる、前記コネクションの確立要否を示す情報を前記上位装置へ送信する伝送部を備えることを特徴とする。【００２０】
本発明による無線基地局は、移動局と、無線基地局と、前記無線基地局の上位装置とを含む移動通信システムにおける無線基地局であって、前記移動局が前記移動局の前記上位装置に対する制御メッセージの送信に際して送信し、前記上位装置によって前記移動局個別のコネクションの確立が不要であるとの判断に用いられる、前記コネクションの確立要否を示す情報を受信する第一の伝送部と、前記移動局の前記上位装置に対する制御メッセージと前記情報とを、前記上位装置に対する制御メッセージに含めて送信する第二の伝送部とを備えることを特徴とする。【００２１】
本発明による上位装置は、移動局と、無線基地局と、前記無線基地局の上位装置とを含む移動通信システムにおける上位装置であって、前記移動局が前記移動局の前記上位装置に対する制御メッセージの送信に際して送信する、前記移動局個別のコネクションの確立要否を示す情報を受信する伝送部と、前記情報を用いて前記コネクションの確立が不要であると判断する制御部とを備えることを特徴とする。【００２２】
本発明によるプログラムは、移動局と、無線基地局と、前記無線基地局の上位装置とを含む移動通信システムにおける移動局の動作をコンピュータに実行させるためのプログラムであって、前記移動局の前記上位装置に対する制御メッセージの送信に際して、前記上位装置によって前記移動局個別のコネクションの確立が不要であるとの判断に用いられる、前記コネクションの確立要否を示す情報を前記上位装置へ送信する処理を備えることを特徴とする。【００２３】
本発明による他のプログラムは、移動局と、無線基地局と、前記無線基地局の上位装置とを含む移動通信システムにおける無線基地局の動作をコンピュータに実行させるためのプログラムであって、前記移動局が前記移動局の前記上位装置に対する制御メッセージの送信に際して送信し、前記上位装置によって前記移動局個別のコネクションの確立が不要であるとの判断に用いられる、前記コネクションの確立要否を示す情報を受信する処理と、前記移動局の前記上位装置に対する制御メッセージと前記情報とを、前記上位装置に対する制御メッセージに含めて送信する処理とを備えることを特徴とする。【００２４】
本発明による更に他のプログラムは、移動局と、無線基地局と、前記無線基地局の上位装置とを含む移動通信システムにおける上位装置の動作をコンピュータに実行させるためのプログラムであって、前記移動局が前記移動局の前記上位装置に対する制御メッセージの送信に際して送信する、前記移動局個別のコネクションの確立要否を示す情報を受信する処理と、前記情報を用いて前記コネクションの確立が不要であると判断する処理とを備えることを特徴とする。
【図面の簡単な説明】
【００２５】
【図１】既存の移動通信システムの概略ブロック図である。
【図２】現在、３ＧＰＰにより提案中のＬＴＥ方式の移動通信システムの概略ブロック図である。
【図３】本発明のＵＥの概略機能ブロック図である。
【図４】本発明のｅＮＢの概略機能ブロック図である。
【図５】本発明のＭＭＥの概略機能ブロック図である。
【図６】本発明の概略動作を説明するための図である。
【図７】本発明の実施の形態に用いるＵＥの機能ブロック図である。
【図８】本発明の実施の形態に用いるｅＮＢの機能ブロック図である。
【図９】本発明の実施の形態に用いるＭＭＥの機能ブロック図である。
【図１０】“ＬＴＥ＿ＩＤＬＥ”状態からＡＰＰＬＩＣＡＴＩＯＮ起動状態への遷移時の、本発明の実施の形態による動作シーケンス図である。
【図１１】“ＬＴＥ＿ＩＤＬＥ”状態からＡＰＰＬＩＣＡＴＩＯＮ終了状態への遷移時の、本発明の実施の形態による動作シーケンス図である。
【図１２】“ＬＴＥ＿ＩＤＬＥ”状態からＡＰＰＬＩＣＡＴＩＯＮ終了状態への遷移時の、既存の技術による動作シーケンス図である。
【図１３】“ＬＴＥ＿ＩＤＬＥ”状態から“ＬＴＥ＿ＤＥＴＡＣＨＥＤ”状態への遷移時の、本発明の実施の形態による動作シーケンス図である。
【図１４】“ＬＴＥ＿ＩＤＬＥ”状態から“ＬＴＥ＿ＤＥＴＡＣＨＥＤ”状態への遷移時の、既存の技術による動作シーケンス図である。
【符号の説明】
【００２６】
１  ＵＴＲＡＮ
２  コアネットワーク
３  Ｅ−ＵＴＲＡＮ
４  ＭＭＥ
１１，１２  ＲＮＣ
３１〜３４  ｅＮＢ
１１１  ＲＮＣ
１１２，１１３  ＮｏｄｅＢ
４１，５１  ＮＡＳレイヤ部
４２，３１２  ＲＡＮＡＰレイヤ部
４３，５３，３１１，３１４，３０１，３０２，４０１，５０１  伝送部
４４，５４，３１５，４０１  制御部
４５，５５，３１６  メモリ
５２，３１３  ＲＲＣレイヤ部
【発明を実施するための最良の形態】
【００２７】
以下に、本発明の実施の形態について説明するが、それに先立ち、本発明の原理を図３〜図６を参照して説明する。図３は本発明のＵＥ（移動局）の概略機能ブロック図である。ＵＥ５は、伝送部５０１を備えている。この伝送部５０１は、このＵＥ個別のコネクションの確立の要否を示す情報であるコネクション確立要否情報を、Ｕｕインタフェースを介して接続されているｅＮＢ（無線基地局）を経由して、ＭＭＥ（上位装置）へ、このＭＭＥへの制御メッセージと共に送信する機能を有している。【００２８】
図４は本発明の第一の実施の形態によるｅＮＢ（無線基地局）の概略機能ブロック図である。本ｅＮＢ３は、第一の伝送部３０１と、第二の伝送部３０２とを備えている。第一の伝送部３０１は、ＵＥ５が当該ＵＥのＭＭＥに対する制御メッセージの送信に際して送信し、ＭＭＥからの制御メッセージと共に送信されてくるコネクション確立要否情報を受信する機能を有している。よって、この第一の伝送部３０１は、Ｕｕインタフェースを介してＵＥと接続されている。第二の伝送部３０２は、ＵＥのＭＭＥに対する制御メッセージとコネクション確立要否情報とを、ＭＭＥに対する制御メッセージに含めて送信する機能を有している。よって、この第二の伝送部３０２は、Ｓ１インタフェースを介してＭＭＥと接続されている。【００２９】
図５は本発明のＭＭＥ（上位装置）の概略機能ブロック図である。ＭＭＥ４は、伝送部４０１と制御部４０２とを備えている。伝送部４０１は、ＵＥ５が当該ＵＥのＭＭＥに対する制御メッセージの送信に際して送信するコネクション確立要否情報を受信する機能を有している。よって、この伝送部４０１は、Ｓ１インタフェースを介してｅＮＢと接続されている。制御部４０２は、このコネクション確立要否情報を用いてＵＥ個別のコネクションの確立が不要であると判断する機能を有する。【００３０】
図６は本発明の動作の概要を説明する図である。ＵＥがコネクション確立要否情報をＭＭＥへの制御メッセージと共に、ｅＮＢを経由してＭＭＥへ送信し（ステップＳ４１）、ＭＭＥがこのコネクション確立要否情報を用いて、コネクションが不要であると判断する（ステップＳ４２）。こうすることにより、制御メッセージのために使用されるＵＥ個別のコネクションを確立せずに制御メッセージの転送が行われる。よって、コネクションを確立するためのｅＮＢでの処理を減らすことができ，また、コネクションを確立するためのｅＮＢとＭＭＥとの間の制御メッセージの送受信量をも減らすことができる。【００３１】
以下に、図面を参照しつつ本発明の実施の形態について詳細に説明する。図７は本発明の実施の形態に用いるＵＥの概略機能ブロック図である。本発明の実施の形態によるＵＥは、ＮＡＳレイヤ部５１と、ＲＲＣレイヤ部５２と、伝送部５３と、制御部５４と、メモリ５５とを含んでいる。【００３２】
ＮＡＳレイヤ部５１は、ＮＡＳメッセージの生成、解読を行う機能を有しており、ＲＲＣレイヤ部５２は、ＲＲＣメッセージの生成、解読を行う機能を有している。伝送部５３は、ｅＮＢとの間のＵｕインターフェース上でのメッセージの伝送を行う機能を有する。【００３３】
制御部５４は、これら各部を含むＵＥの動作制御を行うものであり、ＣＰＵからなり、メモリ５５に予め格納されているプログラム手順を読み取ってその動作手順に従って、ＵＥの動作制御を行う。この制御部５４の本発明に関係する機能を説明すると、電源のオフやアプリケーションの終了などのＵＥの動作に関する制御を行い、更に、各動作において、コネクションの確立の必要性（コネクション確立要否）を判断する。【００３４】
また、制御部５４は、ＵＥが動作するために必要なＮＡＳメッセージ、ＲＲＣメッセージの生成を、ＮＡＳレイヤ部５１、ＲＲＣレイヤ部５２に対して、それぞれ要求する。このときに、制御部５４はＲＲＣレイヤ部５２に対して、コネクションの確立の要否も通知する。この通知を受けたＲＲＣレイヤ部５２は、コネクションの確立の必要性に関する情報（コネクション確立要否情報）をＲＲＣメッセージに設定する。【００３５】
図８は本発明の実施の形態に用いるｅＮＢの概略機能ブロック図である。本発明の実施の形態によるｅＮＢは、伝送部３１１及び３１４と、ＲＡＮＡＰ（Radio  Access  Network  Application  Part  ）レイヤ部３１２と、ＲＲＣレイヤ部３１３と、制御部３１５と、メモリ３１６とを含んでいる。【００３６】
伝送部３１１は、ＭＭＥとの間のＳ１インタフェース上でのメッセージの伝送を行う機能を有する。ＲＡＮＡＰレイヤ部３１２は、ＲＡＮＡＰメッセージの生成、解読を行う機能を有しており、ＲＲＣレイヤ部３１３は、ＲＲＣメッセージの生成、解読を行う機能を有している。伝送部３１４は、ＵＥとの間のＵｕインターフェース上でのメッセージの伝送を行う機能を有する。【００３７】
制御部３１５は、これら各部を含むｅＮＢの動作制御を行うものであり、ＣＰＵからなり、メモリ３１６に予め格納されているプログラム手順を読み取ってその動作手順に従って、ｅＮＢの動作制御を行う。【００３８】
また、制御部３１５は、ＵＥから受信したＲＲＣメッセージ（ＲＲＣレイヤ部３１３で解読される）に含まれるコネクションの確立の必要性に関する情報（コネクション確立要否情報）をＲＡＮＡＰレイヤ部３１２に通知する。この通知を受けたＲＡＮＡＰレイヤ部３１２は、ＲＲＣメッセージを介して転送されたＮＡＳメッセージをＭＭＥに転送するためのＲＡＮＡＰメッセージを生成するときに、コネクション確立要否情報をＲＡＮＡＰメッセージに設定する。【００３９】
なお、ＲＡＮＡＰメッセージは、ＭＭＥとの間のインタフェースＳ１上での無線ネットワークシグナリング（radio  network  signaling  ）に関するメッセージ（制御メッセージ）である。【００４０】
図９は本発明の実施の形態に用いるＭＭＥの概略機能ブロック図である。本発明の実施の形態によるＭＭＥは、ＮＡＳレイヤ部４１と、ＲＡＮＡＰレイヤ部４２と、伝送部４３と、制御部４４と、メモリ４５とを含んでいる。ＮＡＳレイヤ部４１は、ＮＡＳメッセージの生成、解読を行う機能を有し、ＲＡＮＡＰレイヤ部４２は、ＲＡＮＡＰメッセージの生成、解読を行う機能を有している。伝送部４３は、ｅＮＢとの間のＳ１インタフェース上でのメッセージの伝送を行う機能を有する。【００４１】
制御部４４はＣＰＵからなり、メモリ４５に予め格納されているプログラム手順を読み取ってその動作手順に従って、ＭＭＥの動作制御を行う。また、制御部４４は、ｅＮＢから受信しかつＲＡＮＡＰレイヤ部４２で解読されたＲＡＮＡＰメッセージに含まれるコネクション確立要否情報に従って、コネクションの確立の必要か否かを認識する。【００４２】
ＵＥから送信されたＮＡＳメッセージに対する応答をＭＭＥがＵＥに送信する場合には、制御部４４は、コネクション確立要否情報をＲＡＮＡＰレイヤ部４２に通知する。ＲＡＮＡＰレイヤ部４２は、ＲＡＮＡＰメッセージを介して、ＵＥに送信されるＮＡＳメッセージをｅＮＢに転送するときに、制御部４４から通知されたコネクション確立要否情報に従い、適切なＲＡＮＡＰメッセージを生成する。【００４３】
上記において、ＮＡＳメッセージは、Ｕｕインターフェースでは、ＲＲＣメッセージを介して転送され、Ｓ１インターフェースでは、ＲＡＮＡＰメッセージを介して転送される。なお、３ＧＰＰでは、ＲＲＣメッセージ、ＲＡＮＡＰメッセージ共に、ＮＡＳメッセージの転送のみを行うためのメッセージである“Ｄｉｒｅｃｔ  Ｔｒａｎｓｆｅｒ”なるメッセージが規定されている。【００４４】
次に、本発明の実施の形態の動作について図１０〜図１４のシーケンスチャートを用いて説明する。先ず、図１０を参照すると、ＵＥにおいて、“ＬＴＥ＿ＩＤＬＥ”状態からアプリケーション起動状態へ遷移した時の動作例である。この動作例はＵＥ個別のコネクションが確立される場合である。【００４５】
ＵＥが電源オンになったとき、先ず、位置登録が行われる（ステップＳ０）。位置登録が完了した時点で、ＮＡＳメッセージに対するセキュリティ処理を実施するために必要な情報がＵＥとＭＭＥで保持される。この場合の情報としては、秘匿鍵などがある。ＭＭＥへの位置登録と同時に、図示せぬＳＩＰ（Session  Initiation  l  Protocol  ）サーバなどへの登録（Register）を実施するために、コネクションが確立される。【００４６】
ＳＩＰサーバなどへの登録の完了直後に、ＵＥが通信を開始しない場合には、コネクションが切断される（ステップＳ１）。コネクションが切断されると、ＵＥは“ＬＴＥ＿ＩＤＬＥ”の状態となる（ステップＳ２）。ＵＥにおいて、ユーザがアプリケーションを起動して通信を開始する場合には（ステップＳ３）、ＵＥの制御部５４はコネクションの確立が必要であると判断する（ステップＳ４）。【００４７】
ＵＥは通信を開始するために、ＮＡＳメッセージの転送及びコネクションの確立を行うために、ＲＲＣメッセージを送信する。ＬＴＥ方式では、ＮＡＳメッセージをＲＲＣメッセージの一部として転送することが考えられているので、ＲＲＣメッセージ（RRC  Conection  Request  ）にＮＡＳメッセージを含ませると共に、コネクションの確立が必要であることを示す情報（コネクション確立要情報）も含ませることになる（ステップＳ５）。【００４８】
ｅＮＢは、ＵＥからのＲＲＣメッセージを受信すると、このＲＲＣメッセージに含まれていたＮＡＳメッセージを含むＲＡＮＡＰ（Initial  UE  Message）メッセージを生成し、ＲＡＮＡＰメッセージを介してＮＡＳメッセージをＭＭＥに転送する。ＲＲＣメッセージには、コネクション確立要情報が含まれているので、ｅＮＢは、このＲＡＮＡＰメッセージに当該コネクション確立要情報をも設定することになる（ステップＳ６）。【００４９】
ＭＭＥは、ｅＮＢからＲＡＮＡＰメッセージを受信して、これを解読することで、コネクションの確立が必要であることを認識することになる（ステップＳ７）。よって、ｅＮＢに対して、コネクションの確立を要求するＲＡＮＡＰメッセージ（Initial  Context  Setup  Request  ）を送信する（ステップＳ８）。ＵＥにＮＡＳメッセージの応答を送信するときには、ＲＡＮＡＰメッセージにＮＡＳメッセージが含まれる。【００５０】
このようにして、ＵＥとｅＮＢとの間でのＵＥ個別のコネクションの確立及びＮＡＳメッセージの転送が行われる（ステップＳ９）。しかる後に、ｅＮＢはＲＡＮＡＰメッセージ（Initial  Context  Setup  Response）を生成して、ＭＭＥへ応答を返すことになる（ステップＳ１０）。【００５１】
次に、図１１のシーケンスチャートを用いて、“ＬＴＥ＿ＩＤＬＥ”状態からアプリケーション終了状態へ遷移した時の動作例を説明する。この動作例はＵＥ個別のコネクションが確立されない場合である。ＵＥが“ＬＴＥ＿ＩＤＬＥ”状態（ステップＳ１１）からアプリケーション終了状態へ遷移すると（ステップＳ１２）、ＵＥの制御部５４は、コネクションの確立が不要であると判断する（ステップＳ１３）。【００５２】
この場合において、アプリケーション自体は起動されているが、ＵＥの状態が“ＬＴＥ＿ＩＤＬＥ”（コネクションが確立されていない状態）である場合の例として、ユーザによるＷＥＢの閲覧が考えられる。ユーザがＷＥＢの閲覧を中断しているときには、アプリケーションのデータの送受信が行われないので、ｅＮＢは無線リソースの節約などの目的で、ＷＥＢのアプリケーション自体の終了は行わないが、ＵＥ個別のコネクションを切断するという処理を実施することがある。【００５３】
ＵＥはアプリケーションを終了することをＭＭＥに通知するために、ＮＡＳメッセージの転送を行う。このＮＡＳメッセージは、ＲＲＣメッセージ（RRC  Conection  Request  ）の一部として転送される。また、このＲＲＣメッセージには、コネクションの確立が不要であることを示すコネクション確立不要情報が含まれる（ステップＳ１４）。【００５４】
ｅＮＢは、このＲＲＣメッセージを受信すると、ＮＡＳメッセージを含むＲＡＮＡＰメッセージ（Initial  UE  Message）を生成し、このＲＡＮＡＰメッセージを介してＮＡＳメッセージをＭＭＥに転送する。先のＲＲＣメッセージにコネクション確立不要情報が含まれているので、ｅＮＢは、このＲＡＮＡＰメッセージにコネクション確立不要情報を設定する（ステップＳ１５）。【００５５】
ＭＭＥは、このＲＡＮＡＰメッセージを受信すると、これを解読することで、コネクションの確立が不要であることを認識するので（ステップＳ１６）、ＲＡＮＡＰメッセージ（Direct  transfer  ）により、ｅＮＢに対して、コネクションの確立を要求せずに、ＮＡＳメッセージの転送のみを要求する（ステップＳ１７）。【００５６】
ｅＮＢは、ＭＭＥから受信するＲＡＮＡＰメッセージに従って、ＵＥ個別のコネクションを確立せずに、ＲＲＣメッセージ（Direct  transfer  ）によりＮＡＳメッセージをＵＥに転送することになる（ステップＳ１８）。【００５７】
上述の“ＬＴＥ＿ＩＤＬＥ”状態からアプリケーション終了状態へ遷移した時の本発明による動作例と、既存の技術による動作例との相違を明確にするために、図１２を参照して、既存の技術に基く、“ＬＴＥ＿ＩＤＬＥ”状態からアプリケーション終了状態へ遷移した時の動作例を説明する。【００５８】
ＵＥが“ＬＴＥ＿ＩＤＬＥ”状態（ステップＳ１０１）からアプリケーション終了状態へ遷移すると（ステップＳ１０２）、コネクションの確立が必要として、以下のシーケンスが開始される。ＵＥはアプリケーションを終了することをＭＭＥに通知するために、ＮＡＳメッセージの転送を行うが、このＮＡＳメッセージは、ＲＲＣメッセージ（RRC  Connection  Request）の一部として転送される（ステップＳ１０３）。この場合、このＲＲＣメッセージには、本発明によるコネクション確立不要情報は含まれないことは当然である。【００５９】
ｅＮＢは、ＮＡＳメッセージを含むＲＲＣメッセージを受信すると、当該ＮＡＳメッセージを含むＲＡＮＡＰメッセージ（Initial  UE  Message）を生成してＭＭＥへ転送する（ステップＳ１０４）。ＭＭＥは、ＲＡＮＡＰメッセージを受信すると、ｅＮＢに対してＲＡＮＡＰメッセージ（Initial  Context  Setup  Request  ）を転送してコネクションの確立を要求すると共に、ＮＡＳメッセージのＵＥへの転送も要求する（ステップＳ１０５）。ｅＮＢは、ＭＭＥから受信したＲＡＮＡＰメッセージに従って、ＵＥ個別のコネクションを確立し、ＲＲＣメッセージ（RRC  Connection  Setup）によりＮＡＳメッセージをＵＥに転送する（ステップＳ１０６）。【００６０】
このステップＳ１０６により確立されたＵＥ個別のコネクションは、ＮＡＳメッセージをＵＥへ転送するためにのみ設定されたものであるので、このＮＡＳメッセージの転送が完了すると、当該コネクションは、ＲＡＮＡＰメッセージ（S1  Release  Command）（ステップＳ１０７）、ＲＲＣメッセージ（RRC  Connection  Release,  RRC  Connection  Release  Complete  ）（ステップＳ１０８，Ｓ１０９）及びＲＡＮＡＰメッセージ（S1  Release  Complete  ）（ステップＳ１１０）に基づく手順に従って、解放されることになる。【００６１】
この様に、既存の技術による手順では、ステップＳ１０６で確立されたＵＥ個別のコネクションは、ＮＡＳメッセージの転送のためにのみ設定されたものであるから、ＮＡＳメッセージの転送が完了すると、コネクションが解放されることになる。これに対して、図１１に示した如く、本発明による手順では、ＵＥ個別のコネクションの確立が不要と判断されると、コネクションの確立は行われないので、図１２のステップＳ１０７〜Ｓ１１０が不要になるのである。【００６２】
ここで、ＮＡＳメッセージのセキュリティについて述べる。図１に示した既存のＵＴＲＡＮ１では、一般的に、ＲＮＣ１１１は局舎内などのセキュリティが確保される場所に配置されるために、ＵＥとＵＴＲＡＮ１間、及びＵＴＲＡＮ１を介してＵＥとコアネットワーク２間において制御メッセージを交換するときには、ＵＴＲＡＮとＵＥ間でのみ制御メッセージに対してセキュリティ処理（ciphering  （秘匿）、integrity  protection（改ざんの検出））が実施されている。【００６３】
よって、制御メッセージの一つであるＮＡＳメッセージに対して、セキュリティ処理を実施する場合には、ＮＡＳメッセージを送信する前に、ＵＥとＵＴＲＡＮとの間で、秘匿のための情報を交換する必要があり、そのためには、ＵＥとＵＴＲＡＮとの間で、ＲＲＣメッセージを用いてコネクションを設定しなければならない。【００６４】
一方、現在提案中のＬＴＥ方式のｅＮＢは、一般的に、ＵＴＲＡＮにおけるＮｏｄｅＢと同様の場所（例えば、屋外）に配置されるので、図２に示したＥ−ＵＴＲＡＮ３では、Ｓ１インターフェース上を転送される制御メッセージのセキュリティが確保されているとはいえないことになる。よって、ＬＴＥ方式では、ＵＥとＭＭＥ間で交換される制御メッセージであるＮＡＳメッセージに対するセキュリティ処理（ciphering  ，integrity  protection）はＵＥとＭＭＥとの間で実施される。【００６５】
ＮＡＳメッセージに対するセキュリティ処理を実施するために必要な情報（秘匿鍵など）は、ＵＥが“ＬＴＥ＿ＩＤＬＥ”状態や“ＬＴＥ＿ＡＣＴＩＶＥ”状態のときに、ＵＥとＭＭＥとに互いに保持されている。従って、ＮＡＳメッセージがＵＥとＭＭＥとにより秘匿されることになるので、本発明の如く、ＲＲＣメッセージを用いて、ＵＥとＥ−ＵＴＲＡＮ間にコネクションを確立しなくても、無線区間には、秘匿されたＮＡＳメッセージを送信することができるので、ＮＡＳメッセージのセキュリティ性に問題はないのである。【００６６】
つまり、従って、図１０や図１１のシーケンスにおいては、ＵＥ及びＭＭＥにおいて、互いにＮＡＳメッセージのセキュリティ処理が行われているため、セキュリティを損なうことなく、コネクションを確立するためのｅＮＢでの処理を減らすことができる。また、セキュリティを損なうことなく、コネクションを確立するための無線基地局と上位装置との間の制御メッセージの送受信量も減らすことができる。【００６７】
次に、図１３を参照すると、ＵＥにおいて、“ＬＴＥ＿ＩＤＬＥ”状態から“ＬＴＥ＿ＤＥＴＡＣＨＥＤ”状態へ遷移した時の動作例である。この動作例はＵＥ個別のコネクションが確立されない場合である。ＵＥが“ＬＴＥ＿ＩＤＬＥ”状態（ステップＳ２１）から電源ＯＦＦ（ステップＳ２２）になる場合には、ＵＥの制御部５４は、コネクションの確立は不要であると判断する（ステップＳ２３）。ＵＥは電源をＯＦＦにすることをＭＭＥに通知するために、ＮＡＳメッセージの転送を行うが、このＮＡＳメッセージは、前述した如く、ＲＲＣメッセージ（RRC  Connection  Request）の一部として転送される。このとき、このＲＲＣメッセージには、コネクション確立不要情報が含まれることになる（ステップＳ２４）。ＵＥは、ＲＲＣメッセージの送信後に、“ＬＴＥ＿ＤＥＴＡＣＨＥＤ”状態に遷移する（ステップＳ２７）。【００６８】
ｅＮＢは、ＮＡＳメッセージを含むＲＡＮＡＰメッセージ（Initial  UE  Message）を生成して、このＲＡＮＡＰメッセージを介してＮＡＳメッセージをＭＭＥに転送する。この場合、ＲＲＣメッセージに、コネクション確立不要情報が含まれていたので、ｅＮＢは、ＲＡＮＡＰメッセージに、この情報も設定する（ステップＳ２５）。【００６９】
ＭＭＥは、ＲＡＮＡＰメッセージを受信して、これを解読することにより、コネクションの確立が不要であることを認識する（ステップＳ２６）。よって、ＭＭＥは、ｅＮＢに対してコネクションの確立を要求することはない。ＵＥが電源をＯＦＦにする場合には、ＭＭＥからＵＥに対してＮＡＳメッセージは送信されずに、ＭＭＥは、電源をＯＦＦにすることを通知するためのＮＡＳメッセージの受信後に、ＵＥが“ＬＴＥ＿ＩＤＬＥ”状態に遷移したと判断するのである（ステップＳ２７）。【００７０】
上述の“ＬＴＥ＿ＩＤＬＥ”状態から“ＬＴＥ＿ＤＥＴＡＣＨＥＤ”状態へ遷移したときの本発明による動作例と、既存の技術による動作例との相違を明確にするために、図１４を参照して既存の技術に基づく、“ＬＴＥ＿ＩＤＬＥ”状態から“ＬＴＥ＿ＤＥＴＡＣＨＥＤ”状態へ遷移したときの動作例を説明する。【００７１】
ＵＥが“ＬＴＥ＿ＩＤＬＥ”状態（ステップＳ２０１）から、電源ＯＦＦ（ステップＳ２０２）になる場合にも、コネクションの確立は必要であるとして、以下のシーケンスが開始されることになる。【００７２】
ＵＥは、電源をＯＦＦにすることをＭＭＥに通知するために、ＮＡＳメッセージ（RRC  Connection  Request）の転送を行うが、このＮＡＳメッセージは、前述した如くセキュリティ処理されてＲＲＣメッセージの一部として転送される（ステップＳ２０３）。このＲＲＣメッセージには、本発明によるコネクション確立要否情報は含まれないことは勿論である。【００７３】
ｅＮＢは、このＲＲＣメッセージを受信すると、ＮＡＳメッセージを含んだＲＡＮＡＰメッセージ（Initial  UE  Message）を生成して、このＲＡＮＡＰメッセージを介してＮＡＳメッセージをＭＭＥへ転送する（ステップＳ２０４）。このＲＡＮＡＰメッセージを受けて、ＭＭＥは、ｅＮＢに対してコネクションの確立を要求するためのＲＡＮＡＰメッセージ（Initial  Context  Setup  Request  ）を生成する（ステップＳ２０５）。【００７４】
このＲＡＮＡＰメッセージを受けたｅＮＢは、このＲＡＮＡＰメッセージに従って、ＵＥ個別のコネクションを確立する（RRC  Connection  Setup）（ステップＳ２０６）。これ以降のステップＳ２０７〜Ｓ２１０は、図１２に示したステップＳ１０７〜Ｓ１１０と同様に、ステップＳ２０６で確立されたＵＥ個別のコネクションを解放する処理である。この場合のコネクションも、図１２の場合のそれと同じく、ＮＡＳメッセージを転送するためだけに設定されたものであるから、ＮＡＳメッセージの転送が完了すると、このコネクションは解放されるのである。【００７５】
この様に、既存の技術による手順では、ステップＳ２０６で確立されたＵＥ個別のコネクションを解放する処理（ステップＳ２０７〜Ｓ２１０）が必要となるが、本発明による手順では、ＵＥ個別のコネクションの確立を不要と判断して、コネクションの確立を行わないようにしているので、コネクション確立処理とコネクションの解放処理とが不要となるのである。【００７６】
以上述べたように、本発明においては、ＵＥが、ＵＥとＭＭＥとの間の制御メッセージ（ＮＡＳメッセージ）をＭＭＥに送信するときに、ＵＥ個別のコネクションの確立の要否を、ＵＥがＥ−ＵＴＲＡＮを介してＭＭＥに通知することにより、コネクション確立不要時には、Ｅ−ＵＴＲＡＮ及びＭＭＥは、ＵＥ個別のコネクションの確立及び解放を行う必要がなくなることになる。【００７７】
上記実施の形態においては、ＵＥ個別のコネクションの確立の必要性を示す情報として、コネクション確立要否情報をＵＥで発生して、ＲＲＣメッセージ及びＲＡＮＡＰメッセージに含ませているが、コネクション確立要否情報を用いる代りに、コネクションの確立が必要な場合と、コネクションの確立が不要な場合とで、異なる型式のＲＲＣメッセージ及びＲＡＮＡＰメッセージを使用することもできる。例えば、コネクションの確立が不要な場合には、ＲＲＣメッセージ及びＲＡＮＡＰメッセージ共に、“Ｃｏｍｍｏｎ  Ｄｉｒｅｃｔ  Ｔｒａｎｓｆｅｒ”なるメッセージを用いることが考えられるが、これに限定されることなく、種々の変形が考えられる。【００７８】
上述の実施の形態においては、図２に示したＬＴＥ方式の移動通信システムについて説明しており、Ｅ−ＵＴＲＡＮ３を構成するｅＮＢ３１〜３４は、図１に示したＮｏｄｅＢ１１２，１１３の機能をも含んでいるので、無線基地局と呼ぶことができる。また、ＭＭＥ４は、図１に示したコアネットワークに対応しており、ｅＮＢ３１〜３４（すなわち、Ｅ−ＵＴＲＡＮ３）の上位に位置する管理装置であるから、上位装置と呼ぶことができる。【００７９】
また、本発明は、図２に示したＬＴＥ方式の移動通信システムに限らず、図１に示した既存の通信システムにも適用できるものである。【００８０】
上記の実施の形態におけるＵＥ，ｅＮＢ，ＭＭＥの各制御部を含む各機能部は、これらを全てコンピュータで構成して、その動作手順を予めＲＯＭなどの記録媒体に格納したプログラムを、このコンピュータにより読み取らせて実現することができることは明らかである。【００８１】
上記のような構成を備える本発明によれば、移動局がコネクション確立要否の情報を上位装置への制御メッセージと共に送信し、上位装置がコネクション確立要否の情報を用いて、コネクションが不要であると判断することにより、制御メッセージのために使用される（この制御メッセージの転送の完了後に切断される）コネクションを確立せずに制御メッセージの転送が行われる。これにより、コネクション確立するための無線基地局での処理を減らすことができる。また、コネクションを確立するための無線基地局と上位装置との間の制御メッセージの送受信量をも減らすことができる。【００８２】
以上、実施形態を参照して本願発明を説明したが、本願発明は上記実施形態に限定されるものではない。第一の実施の形態において一例を示したのと同様に、本願発明の構成や詳細には、本願発明のスコープ内で当業者が理解し得る様々な変更をすることができる。【００８３】
この出願は２００７年１０月２４日に出願された日本出願特願２００７−２７５８６３号を基礎とする優先権を主張し、その開示の全てをここに取り込む。
【図１】
2009054294.tif 000003
【図２】
2009054294.tif 000004
【図３】
2009054294.tif 000005
【図４】
2009054294.tif 000006
【図５】
2009054294.tif 000007
【図６】
2009054294.tif 000008
【図７】
2009054294.tif 000009
【図８】
2009054294.tif 000010
【図９】
2009054294.tif 000011
【図１０】
2009054294.tif 000012
【図１１】
2009054294.tif 000013
【図１２】
2009054294.tif 000014
【図１３】
2009054294.tif 000015
【図１４】
2009054294.tif 000016
【手続補正書】
【提出日】平成22年3月15日(2010.3.15)
【手続補正１】
【補正対象書類名】特許請求の範囲
【補正対象項目名】全文
【補正方法】変更
【補正の内容】
【特許請求の範囲】
【請求項１】
移動局と、無線基地局と、前記無線基地局の上位装置とを含む移動通信システムであって、
前記移動局は、前記移動局の前記上位装置に対する制御メッセージの送信に際して、前記移動局個別のコネクションの確立要否を示す情報を前記上位装置へ送信し、
前記上位装置は、前記情報を受信し、前記情報を用いて前記コネクションの確立が不要であると判断することを特徴とするシステム。
【請求項２】
前記上位装置は、前記情報に応じて前記コネクションの確立制御をなすことを特徴とする請求項１に記載のシステム。
【請求項３】
移動局と、無線基地局と、前記無線基地局の上位装置とを含む移動通信システムにおける通信方法であって、
前記移動局の前記上位装置に対する制御メッセージの送信に際して、上位装置によって前記移動局個別のコネクションの確立が不要であるとの判断に用いられる、前記コネクションの確立要否を示す情報を前記上位装置へ送信するステップを含むことを特徴とする方法。
【請求項４】
前記上位装置において、前記情報に応じて、前記コネクションの確立制御をなすステップを含むことを特徴とする請求項３に記載の方法。
【請求項５】
移動局と、無線基地局と、前記無線基地局の上位装置とを含む移動通信システムにおける移動局であって、
前記移動局の前記上位装置に対する制御メッセージの送信に際して、前記上位装置によって前記移動局個別のコネクションの確立が不要であるとの判断に用いられる、前記コネクションの確立要否を示す情報を前記上位装置へ送信する伝送部を備えることを特徴とする移動局。
【請求項６】
前記上位装置に対する制御メッセージと前記情報とを、前記無線基地局に対する制御メッセージに含めて送信することを特徴とする請求項５に記載の移動局。
【請求項７】
移動局と、無線基地局と、前記無線基地局の上位装置とを含む移動通信システムにおける無線基地局であって、
前記移動局が前記移動局の前記上位装置に対する制御メッセージの送信に際して送信し、前記上位装置によって前記移動局個別のコネクションの確立が不要であるとの判断に用いられる、前記コネクションの確立要否を示す情報を受信する第一の伝送部と、
前記移動局の前記上位装置に対する制御メッセージと前記情報とを、前記上位装置に対する制御メッセージに含めて送信する第二の伝送部とを備えることを特徴とする無線基地局。
【請求項８】
前記情報に代えて、前記コネクションの確立要否に応じて、前記無線基地局の前記上位装置に対する制御メッセージの形式を変えることを特徴とする請求項７に記載の無線基地局。
【請求項９】
移動局と、無線基地局と、前記無線基地局の上位装置とを含む通信システムにおける上位装置であって、
前記移動局が前記移動局の前記上位装置に対する制御メッセージの送信に際して送信する、前記移動局個別のコネクションの確立要否を示す情報を受信する伝送部と、
前記情報を用いて前記コネクションの確立が不要であると判断する制御部とを備えることを特徴とする上位装置。
【請求項１０】
前記情報に応じて前記コネクションの確立制御をなすことを特徴とする請求項９に記載の上位装置。
【国際調査報告】
2009054294.tif 000017
2009054294.tif 000018